(57)【要約】【課題】収納箱の小型化や省スペース化を図ることができる機器収納機構を提供する。【解決手段】機器収納機構１００は、側面に扉を有し、コンプレッサー２１ａ，２２ａを収納する収納箱１３と、滑走レール１２と、コンプレッサー２１ａ，２２ａが固定され、滑走レール上でスライドして移動可能な台板１１と、滑走レール１２に接続する滑走レール付きの引き出し用架台３０とを備え、コンプレッサー２１ａ，２２ａを保守、点検する際に、引き出し用架台３０を用いてコンプレッサー２１ａ，２２ａを収納箱１３の奥から扉側へ、または収納箱１３の外部へ引き出すことが可能とされる。これにより、収納箱１３には保守スペースを設ける必要がなくなり、収納箱の小型化や省スペース化を図ることができる。【選択図】        図１
2006161654.tif 000002
【特許請求の範囲】
【請求項１】
側面に扉を有し、機器を収納する収納箱と、
上記収納箱の底面に設置される滑走レールと、
上記機器が固定され、上記滑走レール上で移動可能な台板と、
上記滑走レールに接続する滑走レール付きの引き出し用架台とを備え、
上記機器を保守する際に、上記引き出し用架台を用いて上記機器を上記収納箱の奥から上記扉側へ、または上記収納箱の外部へ引き出すことが可能とされる
ことを特徴とする機器収納機構。
【請求項２】
上記架台は、上記滑走レールにロックするロック手段をさらに有する
ことを特徴とする請求項１に記載の機器収納機構。
【請求項３】
上記架台は、引き出し用取手が設けられている
ことを特徴とする請求項１に記載の機器収納機構。
【請求項４】
機器は、取り外し容易な配管コネクタおよび電源コネクタで上記収納箱側の配管および電源線に接続されている
ことを特徴とする請求項１に記載の機器収納機構。
【請求項５】
上記収納箱には、複数の上記機器が収納される
ことを特徴とする請求項１に記載の機器収納機構。
【発明の詳細な説明】
【技術分野】
【０００１】
この発明は、コンプレッサー等機器の収納機構に関する。詳しくは、側面に扉を有し、機器を収納する収納箱と、収納箱の底面に設置される滑走レールと、機器が固定され、滑走レール上でスライドして移動可能な台板と、滑走レールに接続するための滑走レールを有する引き出し用架台とを備え、機器を保守、点検する際に、引き出し用架台を用いて機器を収納箱の奥から扉側へ、または収納箱の外部へ引き出すことが可能な構成とすることによって、扉側または収納箱の外部で保守作業を行うことができため、収納箱には保守スペースを設ける必要がなくなり、収納箱の小型化や省スペース化を図ることができるようにした機器収納機構に係るものである。
【背景技術】
【０００２】
従来、工作機器を配置、収納するための収納箱は、工作機器の保守などを行うために、作業員が中に入れるように大きく設計されている。例えば、複数のコンプレッサーが配置される収納箱の場合は、コンプレッサー一台一台について保守スペースを設ける必要があった。また、作業員が中で作業できるように所定の高さを設計する必要があった。
【０００３】
また、左右開閉できる扉を備え、保守を容易にし、かつ作業員も容易に作業できる扉付き制御装置収納箱体が提案されている（例えば、特許文献１参照）。
【０００４】
この場合、制御装置を収納した箱体の開口部に扉を配置した扉付制御装置収納箱体において、箱体開口部の上端面および下端部にそれぞれ支え板を取り付けると共に、この支え板に扉の四隅に設けた回転用支点軸を着脱可能に取り付けているので、狭い場所等の設置条件に拘らず、制御盤内部に取り付けている制御装置の保守が非常にし易くなり、さらに安全な体勢で作業ができる。
【０００５】
【特許文献１】特開平９−２３８４０９号公報（第２，３頁、第１図）
【発明の開示】
【発明が解決しようとする課題】
【０００６】
しかしながら、上述した工作機器を配置、収納するための収納箱の場合は、工作機器の保守などを行うためのスペースを設ける必要があり、また、作業員が中で作業できるように所定の高さを設計する必要があるので、大型の防音箱や広い部屋を設置しなければならず、そのため、コストがかかる問題があった。
【０００７】
また、上述した特許文献１の場合、制御装置等に対して保守が非常にし易くなり、また安全な体勢で作業ができるが、コンプレッサーのような大型の工作機器には適用できない問題があった。
【０００８】
そこで、この発明は、収納箱には保守スペースを不要とすることにより収納箱の小型化や省スペース化を図ることができるようにした機器収納機構を提供することを目的とする。
【課題を解決するための手段】
【０００９】
この発明に係る機器収納機構は、側面に扉を有し、機器を収納する収納箱と、収納箱の底面に設置される滑走レールと、機器が固定され、滑走レール上で移動可能な台板と、滑走レールに接続する滑走レール付きの引き出し用架台とを備え、機器を保守する際に、引き出し用架台を用いて機器を収納箱の奥から扉側へ、または収納箱の外部へ引き出すことが可能とされるものである。
【００１０】
この発明においては、機器を滑走レール上で移動可能な台板に固定され、機器を保守する際に、機器を収納箱の奥から扉側へ、または収納箱の外部へ引き出し、扉側または収納箱の外部で保守作業を行うことが可能となる。また、保守作業が完了した後、機器を収納箱の奥へ押し込み、元の位置に戻して固定することが可能となる。
【００１１】
これにより、収納箱には作業員が中で作業できる保守スペースを設ける必要がなくなり、収納箱の小型化や省スペース化を図ることが可能となる。
【００１２】
例えば、台板は、滑走レールにロックするロック手段をさらに有することにより、機器動作時、振動により位置移動を阻止することが可能となる。また、台板には、引き出し用取手が設けられることで、引き出しの際に操作が便利である。
【００１３】
また例えば、機器は、取り外し容易な配管コネクタおよび電源コネクタで収納箱側の配管および電源線に接続されているため、保守するために機器を外部へ引き出す際に、他の設備と容易に外すことができ、機器を収納箱の奥から扉側へ、または収納箱の外部へ引き出すことが簡単に行われる。
【００１４】
また、収納箱には、複数の機器が収納されることにより、例えば機器に対して大容量が必要な場合、大型機を採用せず、複数の安価な小型汎用機器の併用で実現可能となる。
【発明の効果】
【００１５】
この発明に係る機器収納機構によれば、側面に扉を有し、機器を収納する収納箱と、収納箱の底面に設置される滑走レールと、機器が固定され、滑走レール上で移動可能な台板と、滑走レールに接続する滑走レール付きの引き出し用架台とを備え、機器を保守する際に、引き出し用架台を用いて機器を収納箱の奥から扉側へ、または収納箱の外部へ引き出し、扉側または収納箱の外部で保守作業を行うことができ、また、保守作業が完了した後、機器を収納箱の奥へ押し込み、元の位置に戻して固定することができるものであり、収納箱には作業員が中で作業できる保守スペースを設ける必要がなくなり、収納箱の小型化や省スペース化を図ることができる。
【発明を実施するための最良の形態】
【００１６】
以下、図面を参照しながら、この発明の実施の形態の機器収納機構について説明する。
図１は、実施の形態の機器収納機構の構成例を示す図である。この機器収納機構１００は、発電所などの開閉器操作用コンプレッサーを収納する収納機構である。この例では、複数のコンプレッサーが収納箱に収納されている。
【００１７】
図１に示すように、機器収納機構１００は、機器としてのコンプレッサー２１ａ，２２ａと、台板１１と、滑走レール１２と、収納箱１３と、引き出し用架台３０とを備える。
【００１８】
コンプレッサー２１ａ，２２ａは、例えば２軸ピストンタイプのコンプレッサーである。また、このコンプレッサー２１ａ，２２ａは、台板１１に固定されている。
【００１９】
台板１１は、金属板材からなり、コンプレッサー２１ａ，２２ａを固定するためのネジ穴が設けられている。また、台板１１には、ロック手段としてのボルト１６（図２参照）用のネジ穴も設けられている。また、台板１１の前端には、引き出し用取手１１ａが設けられている。また、台板１１は、収納箱１３の奥に配置されている。即ち台板１１の前面と扉との間に、ある程度の距離が設けられている。コンプレッサー２１ａ，２２ａは収納箱１３の奥から扉側へ引き出すことができる。
【００２０】
コンプレッサー２１ａ，２２ａを収納箱１３の奥から扉側、または外部へ引き出す際に、まず、ロック手段としてのボルト１６を取り外し、そして取手１１ａをもって台板１１を収納箱１３の外部へ引き出す。
【００２１】
滑走レール１２は、例えば金属などの材料から形成され、その上に耐熱性・耐滑性・耐衝撃性等にすぐれた合成樹脂例えばフッ素樹脂板１２ａが設けられている。滑走レール１２は、収納箱１３の底面に固定される。また、滑走レール１２の外側には、台板１１用のガイド１５が設けられている。また、滑走レール１２の後端には、ストッパ２０が設けられている（図３参照）。この滑走レール１２は、１台のコンプレッサーに対して２本配置される。
【００２２】
収納箱１３は、前面に扉１３ａを有し、２台のコンプレッサー２１ａ，２２ａおよび付属装置を収納する防音箱である。この収納箱１３の底面には、２台のコンプレッサー２１ａ，２２ａに対して４本の滑走レール１２が配置されている。
【００２３】
引き出し用架台３０は、コンプレッサー２１ａ，２２ａを箱の外部へ引き出すための付属装置である。引き出し用架台３０には、収納箱１３に配置された滑走レール１２と同様な滑走レール３２が２本設けられている。滑走レール３２の上面にはフッ素樹脂板３２ａが貼り付けられている。さらに、滑走レール３２の外側には、台板１１用のガイド３５が設けられている。コンプレッサー２１ａ，２２ａを箱の外部へ引き出す際に、この引き出し用架台３０を扉の前に置き、滑走レール１２と滑走レール３２とが接続するように配置する。
【００２４】
図２は、機器収納機構１００の正面図である。図２に示すように、２つのコンプレッサー２１ａ，２２ａは並べて配置されている。この２つのコンプレッサー２１ａ，２２ａの間、およびコンプレッサー２１ａ，２２ａと収納箱１３の壁との間に保守、点検を行うためのスペースを設けることがなく、緊密に設置されている。また、図２に示すように、コンプレッサー２１ａ，２２ａは、取り外し容易な配管コネクタ１７および電源コネクタ１８で収納箱１３側に配管および電源線に接続されている。これにより、保守、点検の際に、コンプレッサー２１ａ，２２ａ側の配管１９とエアタンク側の配管とを簡単に外すことができる。
【００２５】
図３は、機器収納機構１００の側面図である。図３に示すように、コンプレッサー２１ａ，２２ａが固定された台板１１は、滑走レール１２上に配置される。また、滑走レール１２の後端には、ストッパ２０が設けられている。コンプレッサー２１ａ，２２ａの通常の動作状態では、ボルト１６により台板１１は滑走レール１２に固定されている。また、保守、点検を行う際に、ボルト１６を外し、コンプレッサー２１ａ，２２ａを台板１１と共に、前面の扉側へ引き出すことにより、保守、点検を容易に行うことができる。
【００２６】
図４は、コンプレッサーの配管接続例を示すブロック図である。図４に示すように、２台のコンプレッサー２１ａ，２２ａを用いる場合、２台のコンプレッサー２１ａ，２２ａのうち一台（例えば２１ａ）が常用機として使用され、もう一台（例えば２２ａ）は予備機として設置されている。コンプレッサー２１ａ（または２２ａ）からの圧縮空気はエアタンク２３，２４に貯蔵される。エアタンク２３，２４に貯蔵される圧縮空気は、開閉器２５，２６を操作する際に使用される。
【００２７】
また、例えば発電所の規格が大きく、開閉器も大きくなり、開閉器を操作するために大量の圧縮空気が必要とされる場合、大型のコンプレッサーを使用するよりも小型の汎用コンプレッサーを複数台組み合わせ使用する方が経済的である。
【００２８】
図５は、６台のコンプレッサーを用いる場合の配管接続例を示すブロック図である。図５に示すように、多数（例えば６台）の小型の汎用コンプレッサーを設置し、そのうち５台（例えば２１ｂ）は必要空気量に応じ順次起動するよう設置され、残りの１台（例えば２２ｂ）は予備機として設置されている。この場合、常用機（または予備機）としての各コンプレッサーは、並列に接続されている。
【００２９】
また、コンプレッサー２１ｂ（または２２ｂ）からの圧縮空気はエアタンク２３，２４に貯蔵される。エアタンク２３，２４に貯蔵される圧縮空気は、開閉器２５，２６を操作する際に使用される。
【００３０】
機器収納機構１００においては、コンプレッサー２１ａ，２２ａの保守、点検を行う場合、まず、ロック手段としてのボルト１６を外す。次に、引き出し用架台３０を扉の前に滑走レール１２と接続するように配置する。そして、取手１１ａをもって台板１１（コンプレッサー２１ａ（または２２ａ）を含む）を収納箱１３の外部へ引き出す。コンプレッサー２１ａ（または２２ａ）の部分または全部が収納箱１３の外部に引き出された状態で、保守、点検を行う。また、保守、点検を行った後に、台板１１（コンプレッサー２１ａ（または２２ａ）を含む）をストッパ２０に当たるように収納箱１３の中へ押し込み、元の位置に戻して、そしてロック手段としてのボルト１６で固定する。
【００３１】
なお、保守、点検する際に、引き出し用架台３０を用いることなく、コンプレッサー２１ａ（または２２ａ）を収納箱１３の奥から扉側へ引き出し、作業員は収納箱１３の扉側で保守作業を行うことも可能である。
【００３２】
このように本実施の形態においては、機器収納機構１００は、側面に扉を有し、コンプレッサー２１ａ，２２ａを収納する収納箱１３と、滑走レール１２と、コンプレッサー２１ａ，２２ａが固定され、滑走レール上でスライドして移動可能な台板１１と、滑走レール１２に接続する滑走レール付きの引き出し用架台３０とを備え、コンプレッサー２１ａ（または２２ａ）を保守、点検する際に、引き出し用架台３０を用いてコンプレッサー２１ａ，２２ａを収納箱１３の奥から扉側へ、または収納箱１３の外部へ引き出し、作業員が扉側、または収納箱１３の外部で保守作業を行うことができる。また、保守作業が完了した後、コンプレッサー２１ａ，２２ａを収納箱１３の奥へ押し込み、元の位置に戻してボルト１６で固定することができる。
【００３３】
これにより、収納箱には作業員が中で作業できる保守スペースを設ける必要がなくなり、また、作業員が中に入れるような高さも設ける必要がなくなり、収納箱の小型化や省スペース化を図ることができる。
【００３４】
また、台板１１は、滑走レールにロックするロック手段をさらに有することにより、コンプレッサー２１ａ，２２ａ動作時、振動により位置移動を阻止することができる。また、台板１１には、引き出し用取手１１ａが設けられることで、引き出しの際に操作が便利である。
【００３５】
また、コンプレッサー２１ａ，２２ａは取り外し容易な配管コネクタおよび電源コネクタで収納箱１３側の配管および電源線に接続されているため、保守するためにコンプレッサー２１ａ，２２ａを外部へ引き出す際に、他の設備と容易に分離することができ、コンプレッサー２１ａ，２２ａを収納箱１３の奥から扉側へ、または収納箱１３の外部へ引き出すことが簡単に行われる。
【００３６】
また、収納箱１３には、複数のコンプレッサー２１ａ，２２ａが収納されることにより、例えばコンプレッサー２１ａ，２２ａに対して大容量が必要な場合、大型機を採用せず、複数の安価な小型汎用コンプレッサー２１ｂ，２２ｂの併用で実現することができるため、コスト削減を図ることができる。
【００３７】
なお、上述実施の形態においては、２台のコンプレッサー２１ａ，２２ａは横並べで配置されたものについて説明したが、これに限定されるものではない。例えば６台の小型の汎用コンプレッサーを用いる場合、上下二段階それぞれ３台を配置するようにしてもよい。この場合、上段のコンプレッサーを引き出すために、所定高さの引き出し用架台３０を必要とする。
【００３８】
また、上述実施の形態においては、機器としてコンプレッサー２１ａ，２２ａを用いた場合について説明したが、これに限定されるものではない。他の工作機器、電気機器、制御装置等にもこの発明を適用できる。
【００３９】
また、上述実施の形態においては、ロック手段としてボルト１６を用いたが、これに限定されるものではない。
【産業上の利用可能性】
【００４０】
以上のように、この発明に係る機器収納機構は、コンプレッサー等機器に対して収納箱に保守スペースを設けずに、収納箱の小型化や省スペース化を図る目的に利用できる。
【図面の簡単な説明】
【００４１】
【図１】実施の形態の機器収納機構１００の構成例を示す図である。
【図２】機器収納機構１００の正面図である。
【図３】機器収納機構１００の側面図である。
【図４】コンプレッサーの配管接続例を示すブロック図である。
【図５】６台のコンプレッサーを用いる場合の配管接続例を示すブロック図である。
【符号の説明】
【００４２】
１１・・・台板、１１ａ・・・取手、１２，３２・・・滑走レール、１２ａ，３２ａ・・・フッ素樹脂板、１３・・・収納箱、１５，３５・・・ガイド、１６・・・ボルト、１７・・・配管コネクタ、１８・・・電源コネクタ、１９・・・配管、２０・・・ストッパ、２１ａ，２２ａ，２１ｂ，２２ｂ・・・コンプレッサー、２３，２４・・・エアタンク、２５，２６・・・開閉器、３０・・・引き出し用架台、１００・・・機器収納機構
【図１】
2006161654.tif 000003
【図２】
2006161654.tif 000004
【図３】
2006161654.tif 000005
【図４】
2006161654.tif 000006
【図５】
2006161654.tif 000007